(57)【要約】  少なくとも第１の照明デバイス及び第２の照明デバイスを制御するためのコントローラであって、当該コントローラは、第１の照明デバイス及び第２の照明デバイスと通信するための通信ユニットと、ユーザ入力を受けるためのユーザインターフェースと、ディスプレイユニットと、ディスプレイユニット上に、第１のカラースペクトルのグラフィカル表現、ユーザインターフェース内の第１の位置における第１のカラースペクトル内の第１の照明デバイスの第１のタイプのグラフィカル表現、及び、ユーザインターフェース内の第２の位置における第１のカラースペクトル内の第２の照明デバイスの第２のタイプのグラフィカル表現をレンダリングするためのプロセッサとを含み、第１のタイプのグラフィカル表現は、第１の照明デバイスが、ユーザインターフェース内の第１の位置に関連する第１のカラースペクトルの色にマッチする光を生成するように構成されていることを示し、第２のタイプのグラフィカル表現は、第２の照明デバイスが、ユーザインターフェース内の第２の位置に関連する第１のカラースペクトルの色にマッチする光を生成するように構成されていないことを示す。プロセッサはさらに、ユーザインターフェースを介して第１の照明デバイスを制御するための第１のユーザ入力を受けると、通信ユニットを介して、第１のユーザ入力に応じて第１の照明デバイス及び第２の照明デバイスのうちの１つ以上の色を制御するように構成される。
2021517327.tif 000002
【特許請求の範囲】
【請求項１】
少なくとも第１の照明デバイス及び第２の照明デバイスを制御するためのコントローラであって、当該コントローラは、
前記第１の照明デバイス及び前記第２の照明デバイスと通信するための通信ユニットと、
ユーザ入力を受けるためのユーザインターフェースと、
ディスプレイユニットと、
前記ディスプレイユニット上に、第１のカラースペクトルのグラフィカル表現、前記ユーザインターフェース内の第１の位置における前記第１のカラースペクトル内の前記第１の照明デバイスの第１のタイプのグラフィカル表現、及び、前記ユーザインターフェース内の第２の位置における前記第１のカラースペクトル内の前記第２の照明デバイスの第２のタイプのグラフィカル表現をレンダリングするためのプロセッサと、
を含み、
前記第１のタイプのグラフィカル表現は、前記第１の照明デバイスが、前記ユーザインターフェース内の前記第１の位置に関連する前記第１のカラースペクトルの色にマッチする光を生成するように構成されていることを示し、前記第２のタイプのグラフィカル表現は、前記第２の照明デバイスが、前記ユーザインターフェース内の前記第２の位置に関連する前記第１のカラースペクトルの色にマッチする光を生成するように構成されていないことを示し、
前記プロセッサは、前記ユーザインターフェースを介して前記第１の照明デバイスを制御するための第１のユーザ入力を受けると、前記通信ユニットを介して、前記第１のユーザ入力に応じて前記第１の照明デバイス及び前記第２の照明デバイスのうちの１つ以上の色を制御するように構成され、
カラースペクトルは、ある時点で単一のカラースペクトルのみがレンダリングされるように前記ユーザインターフェースの同じ領域にレンダリングされる、コントローラ。
【請求項２】
前記プロセッサは、
前記ユーザインターフェースを介して前記第２の照明デバイスを制御するための第２のユーザ入力を受けると、前記ユーザインターフェース内の前記第２の位置に関連する前記第１のカラースペクトル内の前記第２の照明デバイスの前記第２のグラフィカル表現を前記ユーザインターフェース内の第３の位置に移動させ、前記第２の照明デバイスは、前記ユーザインターフェース内の前記第３の位置に関連する前記第１のカラースペクトルの色にマッチする光を生成するように構成されている、及び、
前記第２の照明デバイスについて前記第１のタイプのグラフィカル表現に切り替える、
ように構成される、請求項１に記載のコントローラ。
【請求項３】
前記ユーザインターフェース内の前記第１の位置に関連する前記第１のカラースペクトルの色は、前記ユーザインターフェース内の前記第１の位置における１つ以上のピクセルに関連し、前記ユーザインターフェース内の前記第２の位置に関連する前記第１のカラースペクトルの色は、前記ユーザインターフェース内の前記第２の位置における１つ以上のピクセルに関連する、請求項１又は２に記載のコントローラ。
【請求項４】
前記プロセッサは、
前記第１の照明デバイス及び前記第２の照明デバイスからカラーレンダリング情報を取得し、前記カラーレンダリング情報は、前記第１の照明デバイス及び前記第２の照明デバイスのそれぞれのカラーレンダリング能力に関連する、
前記カラーレンダリング情報に基づいて、前記第１の照明デバイス及び前記第２の照明デバイスが、それぞれ、前記ユーザインターフェース内の前記第１の位置及び前記第２の位置に関連する前記第１のカラースペクトルの色にマッチする光を生成するように構成されているかどうかを判断する、及び
前記ディスプレイユニット上に、前記第１の照明デバイス及び前記第２の照明デバイスを、それぞれ、前記第１のグラフィカル表現及び前記第２のグラフィカル表現に応じてレンダリングする、
ように構成される、請求項１乃至３のいずれか一項に記載のコントローラ。
【請求項５】
前記プロセッサは、前記ユーザインターフェースを介して前記第２の照明デバイスを制御するための第３のユーザ入力を受けると、前記ディスプレイユニット上に、
第２のカラースペクトルのグラフィカル表現であって、前記第１のカラースペクトルは前記第２のカラースペクトルと異なる、第２のカラースペクトルのグラフィカル表現、
前記第１の照明デバイスが、前記ユーザインターフェース内の前記第１の位置に関連する前記第２のカラースペクトルの色にマッチする光を生成するように構成されていない場合、前記ユーザインターフェース内の前記第１の位置における前記第２のカラースペクトル内の前記第１の照明デバイスについての前記第２のタイプのグラフィカル表現、及び
前記第２の照明デバイスが、前記ユーザインターフェース内の前記第２の位置に関連する前記第２のカラースペクトルの色にマッチする光を生成するように構成されていることを示す、前記ユーザインターフェース内の前記第２の位置における前記第２のカラースペクトル内の前記第２の照明デバイスについての前記第１のタイプのグラフィカル表現
をレンダリングする、及び
前記通信ユニットを介して、前記第３のユーザ入力に応じて前記第１の照明デバイス及び前記第２の照明デバイスのうちの１つ以上の色を制御する、
ように構成される、請求項１乃至４のいずれか一項に記載のコントローラ。
【請求項６】
前記プロセッサは、前記ユーザインターフェースを介してユーザ入力を受けると、前記ディスプレイユニット上に、
第３のカラースペクトルのグラフィカル表現であって、前記第３のカラースペクトルは前記第１のカラースペクトルと異なる、第３のカラースペクトルのグラフィカル表現、
前記第１の照明デバイスが、前記ユーザインターフェース内の前記第１の位置に関連する前記第３のカラースペクトルの色にマッチする光を生成するように構成されていない場合、前記ユーザインターフェース内の前記第１の位置における前記第３のカラースペクトル内の前記第１の照明デバイスについての前記第２のタイプのグラフィカル表現、及び
前記第２の照明デバイスが、前記ユーザインターフェース内の前記第２の位置に関連する前記第３のカラースペクトルの色にマッチする光を生成するように構成されていることを示す、前記ユーザインターフェース内の前記第２の位置における前記第３のカラースペクトル内の前記第２の照明デバイスについての前記第１のタイプのグラフィカル表現
をレンダリングするように構成される、請求項１乃至５のいずれか一項に記載のコントローラ。
【請求項７】
前記プロセッサは、前記ユーザインターフェースを介して第４のユーザ入力を受けると、
前記ユーザインターフェース内の前記第１の位置から前記ユーザインターフェース内の第４の位置に前記第１のカラースペクトル内の前記第１の照明デバイスの前記第１のタイプのグラフィカル表現を移動させる、及び／又は、前記ユーザインターフェース内の前記第２の位置から前記ユーザインターフェース内の第５の位置に前記第１のカラースペクトル内の前記第２の照明デバイスの前記第２のタイプのグラフィカル表現を移動させる、及び
前記ディスプレイユニット上で、第４のカラースペクトルに切り替え、前記第４のカラースペクトルは、前記第１の照明デバイスが、前記ユーザインターフェース内の前記第４の位置に関連する前記第１のカラースペクトルの色にマッチする光を生成するように構成されていない、及び／又は、前記第２の照明デバイスが、前記ユーザインターフェース内の前記第５の位置に関連する前記第１のカラースペクトルの色にマッチする光を生成するように構成されていないことを示す、
ように構成される、請求項１乃至６のいずれか一項に記載のコントローラ。
【請求項８】
カラースペクトルは、白色スペクトル及び複数の色を含むスペクトルから選択される、請求項１乃至７のいずれか一項に記載のコントローラ。
【請求項９】
前記プロセッサは、前記第１の照明デバイス及び前記第２の照明デバイスの現在の色設定に基づいて、それぞれ、前記ユーザインターフェース内の前記第１のタイプのグラフィカル表現についての初期の第１の位置及び／又は前記ユーザインターフェース内の前記第２のタイプのグラフィカル表現についての初期の第２の位置を設定するように構成される、請求項１乃至８のいずれか一項に記載のコントローラ。
【請求項１０】
前記ディスプレイユニットは、タッチセンシティブディスプレイを有し、前記ユーザインターフェースは、前記タッチセンシティブディスプレイを介してユーザ入力を受けるように構成される、請求項１乃至９のいずれか一項に記載のコントローラ。
【請求項１１】
第１の照明デバイス及び第２の照明デバイスを制御するための方法であって、当該方法は、
ディスプレイユニット上に、第１のカラースペクトルのグラフィカル表現、ユーザインターフェース内の第１の位置における前記第１のカラースペクトル内の前記第１の照明デバイスの第１のタイプのグラフィカル表現、及び、前記ユーザインターフェース内の第２の位置における前記第１のカラースペクトル内の前記第２の照明デバイスの第２のタイプのグラフィカル表現をレンダリングするステップであって、前記第１のタイプのグラフィカル表現は、前記第１の照明デバイスが、前記ユーザインターフェース内の前記第１の位置に関連する前記第１のカラースペクトルの色にマッチする光を生成するように構成されていることを示し、前記第２のタイプのグラフィカル表現は、前記第２の照明デバイスが、前記ユーザインターフェース内の前記第２の位置に関連する前記第１のカラースペクトルの色にマッチする光を生成するように構成されていないことを示し、カラースペクトルは、ある時点で単一のカラースペクトルのみがレンダリングされるように前記ユーザインターフェースの同じ領域にレンダリングされる、ステップと、
前記ユーザインターフェースを介して前記第１の照明デバイスを制御するための第１のユーザ入力を受けると、前記第１のユーザ入力に応じて前記第１の照明デバイス及び前記第２の照明デバイスのうちの１つ以上の色を制御するステップと、
を含む、方法。
【請求項１２】
当該方法は、
前記第１の照明デバイス及び前記第２の照明デバイスからカラーレンダリング情報を取得するステップであって、前記カラーレンダリング情報は、前記第１の照明デバイス及び前記第２の照明デバイスのそれぞれのカラーレンダリング能力に関連する、ステップと、
前記カラーレンダリング情報に基づいて、前記第１の照明デバイス及び前記第２の照明デバイスが、それぞれ、前記ユーザインターフェース内の前記第１の位置及び前記第２の位置に関連する前記第１のカラースペクトルの色にマッチする光を生成するように構成されているかどうかを判断するステップと、
前記第１の照明デバイス及び前記第２の照明デバイスを、それぞれ、前記第１のグラフィカル表現及び前記第２のグラフィカル表現に応じてレンダリングするステップと、
を含む、請求項１１に記載の方法。
【請求項１３】
前記第１のカラースペクトル及び第２のカラースペクトルが、前記ユーザインターフェースの同じ領域にレンダリングされる、請求項１１又は１２に記載の方法。
【請求項１４】
コンピューティングデバイスのためのコンピュータプログラムであって、当該コンピュータプログラムが前記コンピューティングデバイスの処理ユニットで実行された場合、請求項１１乃至１３のいずれか一項に記載の方法を実行するためのコンピュータプログラムコードを含む、コンピュータプログラム。
【請求項１５】
請求項１乃至１０のいずれか一項に記載のコントローラと、
前記コントローラから制御コマンドを受けるように構成される少なくとも第１の照明デバイス及び第２の照明デバイスと、
を含む、照明システム。
【発明の詳細な説明】
【技術分野】
【０００１】
本発明は、第１及び第２の照明デバイスを制御するためのコントローラ、第１及び第２の照明デバイスを制御するための方法、コンピュータプログラムプロダクト、並びにコントローラと第１及び第２の照明デバイスとを含む照明システムに関する。
【背景技術】
【０００２】
ホーム及びオフィス照明制御システムは、ユーザが、空間全体に分散されている照明デバイスを制御することを可能にする。ユーザは、照明デバイスを、例えば携帯電話等のモバイルデバイスのユーザインターフェース上で該照明デバイスを選択することにより、選択すること、及び、照明デバイスの光出力（例えば、強度、色、方向等）を変更するためにユーザ入力を提供することができる。これらのユーザインターフェースはさらに、ユーザが、１つ以上の照明デバイスを選択すること、及び、例えば、モバイルデバイスのタッチスクリーンを介して仮想的なカラースペクトルに沿って第１の照明デバイスのアイコンをドラッグすることによって、これらの１つ以上の照明デバイスによって生成されるべき光の色を設定することを可能にする。所望の色が選択されると、ユーザは、所望の色温度の白色光を含む、所望の色の光を生成するように照明デバイスを制御することができる。
【０００３】
ＵＳ２０１５／０２２１２３  Ａ１は、光源のセットと遠隔制御ユニットとを含む照明システムを開示している。遠隔制御ユニットは、ユーザが画像内の領域及び光源を識別し得るユーザインターフェースを含む。識別された画像領域は光源とリンクされ、識別された画像領域の色情報が光源に送られる。それによって、光源は、自身の光出力を色情報に適応させることができる。これにより、ユーザは、遠隔制御ユニットに表示される画像内の領域を選択することにより光源によって出力されるべき色を選ぶことができる。
【０００４】
ＷＯ２０１７／１６７６７５  Ａ１は、照明デバイスのグループを制御するためのコントローラを開示している。グループは、第１の照明デバイスと第２の照明デバイスとを含む。コントローラは、第１の照明デバイス及び第２の照明デバイスと通信するための通信ユニットを含む。コントローラはさらに、第１の照明デバイス及び第２の照明デバイスの階層的表現をレンダリングするためのディスプレイを含み、階層的表現は、第１の一次グラフィカル表現及び第２の一次グラフィカル表現を含む一次レベルであって、第１の一次グラフィカル表現は、第１の照明デバイスに関連し、第１の現在の光設定を表し、第２の一次グラフィカル表現は、第２の照明デバイスに関連し、第２の現在の光設定を表す、一次レベルと、二次グラフィカル表現を含む二次レベルであって、二次グラフィカル表現は、照明デバイスのグループに関連し、照明デバイスのグループの現在のグループ光設定を表す、二次レベルとを含む。第１の照明デバイス及び第２の照明デバイスのうちの１つ以上は、ユーザ入力に応じて制御され、一次グラフィカル表現及び二次グラフィカル表現は、ユーザ入力を介して提供される調整に応じて更新される。
【０００５】
ＵＳ２０１６／２５５７０６  Ａ１は、照明デバイスと、照明デバイスを制御するために照明制御デバイスのタッチスクリーンに表示されるグラフィックユーザインターフェースとを含む照明システム開示している。グラフィックユーザインターフェースは、照明デバイスの設置空間のためのマップ及びマップ内の照明デバイスに対応する照明アイコンを表示するための第１の領域と、照明アイコンに対応する照明デバイスの制御条件を設定するためのメニューを表示するための第２の領域とを含む。マップは、設置空間を複数の領域に分割することにより得られる複数の分割空間を含み、照明アイコンは、照明デバイスの実際の設置部分に対応する特定の分割空間に表示される。
【発明の概要】
【発明が解決しようとする課題】
【０００６】
本発明者らは、ユーザが、異なる能力(capability)を有する異なるタイプの照明デバイスを制御する場合、すべての照明デバイスが、所望の色の光を生成することができるとは限らないことを認識した。例えば、ユーザが赤色光を選択したい場合、チューナブル(tunable)白色照明デバイス（すなわち、白色光を発するように構成される照明デバイスであって、白色光の色温度が調整可能である、照明デバイス）は、チューナブル白色照明デバイスが特定の色（例えば、赤色又は緑色）をレンダリングすることができないかもしれないので、当該色の光を生成するのに適していない。例えば、ユーザが白色光を選択したい場合、マルチカラー照明デバイス（例えば、色が調整可能なマルチＬＥＤ照明デバイス(multi LED lighting device)）は、当該光を生成するのに適していないかもしれない。これは、ユーザがチューナブル白色照明デバイスに対して緑色を選択しようとする場合、この緑色をレンダリングすることができないという問題をもたらす。ユーザが同じ部屋に複数の（タイプの）照明デバイスを設置している場合、ユーザにとって、複数の照明デバイスの何の能力が（白色光及びチューナブル白色光を含む）異なる色の光を生成するためのものであるかを覚えるのが難しくなるかもしれない。斯くして、ユーザがある部屋の光の色を赤色に変更したい場合、例えば、チューナブル白色照明デバイスは、この選択には適しておらず、どの光源を選択すればよいのかユーザを混乱させるかもしれない。さらに、ユーザによって使用されるユーザインターフェースは、特定の照明デバイスが所望の色効果を作り出すために使用されることができないことをユーザに報告しないかもしれない。さらに、ユーザは、異なるカラーレンダリング能力を有する複数の照明デバイスを１つのユーザインターフェースによって、ゆえに複数の照明デバイスを制御できるようにするために複数のユーザインターフェースを切り替える必要なく制御したいかもしれない。
【０００７】
したがって、本発明の目的は、異なるタイプの照明デバイスの能力が何であるか、及びどのようにそれらが制御されることができるかをユーザに伝えることである。本発明のさらなる目的は、異なるタイプの照明デバイスを選択及び制御するための方法及びコントローラであって、特定の照明デバイスが所望の色効果を作り出すのに適していないかもしれないことをユーザに報告する、方法及びコントローラを提供することである。
【課題を解決するための手段】
【０００８】
本発明によれば、少なくとも第１の照明デバイス及び第２の照明デバイスを制御するためのコントローラであって、当該コントローラは、
第１の照明デバイス及び第２の照明デバイスと通信するための通信ユニットと、
ユーザ入力を受けるためのユーザインターフェースと、
ディスプレイユニットと、
ディスプレイユニット上に、第１のカラースペクトルのグラフィカル表現(graphical representation)、ユーザインターフェース内の第１の位置における第１のカラースペクトル内の第１の照明デバイスの第１のタイプのグラフィカル表現、及び、ユーザインターフェース内の第２の位置における第１のカラースペクトル内の第２の照明デバイスの第２のタイプのグラフィカル表現をレンダリングするためのプロセッサと、
を含み、
第１のタイプのグラフィカル表現は、第１の照明デバイスが、ユーザインターフェース内の第１の位置に関連する第１のカラースペクトルの色にマッチする(match)光を生成するように構成されていることを示し、第２のタイプのグラフィカル表現は、第２の照明デバイスが、ユーザインターフェース内の第２の位置に関連する第１のカラースペクトルの色にマッチする光を生成するように構成されていないことを示し、
プロセッサは、ユーザインターフェースを介して第１の照明デバイスを制御するための第１のユーザ入力を受けると、通信ユニットを介して、第１のユーザ入力に応じて第１の照明デバイス及び第２の照明デバイスのうちの１つ以上の色を制御するように構成される、コントローラが提供される。異なるグラフィカル表現を提供することにより、ユーザは、どの照明デバイスが選択されたカラースペクトルに適しているかが分かる。さらに、複数のユーザインターフェースを１つのユーザインターフェースに組み合わせることができ、それゆえ、ユーザは、異なるユーザインターフェースの間を切り替える必要がない。「光を生成するように構成されている(being arranged for generating light)」という文言は、そのような光を生成するための照明デバイスの技術的能力(technical capability)（例えば、照明デバイス内の正しいタイプ(correct type)の発光ダイオードの可用性(availability)）を指してもよく、又は、最後の設定（例えば、選択された光の色）がそのような光とマッチしているかどうかを指してもよい。
【０００９】
コントローラの一実施形態では、プロセッサはさらに、
ユーザインターフェースを介して第２の照明デバイスを制御するための第２のユーザ入力を受けると、ユーザインターフェース内の第２の位置に関連する第１のカラースペクトル内の第２の照明デバイスの第２のグラフィカル表現をユーザインターフェース内の第３の位置に移動させ、第２の照明デバイスは、ユーザインターフェース内の第３の位置に関連する第１のカラースペクトルの色にマッチする光を生成するように構成されている、及び
第２の照明デバイスについて第１のタイプのグラフィカル表現に切り替えるように構成される。ユーザが第２の照明デバイスとインタラクトする(interact)場合、ユーザインターフェース内の位置及び／又はそのグラフィカル表現は、もしあれば、該照明デバイスが適しているカラースペクトル内の位置を示すように変更されてもよい。第３の位置は、第２の位置と比較して、ユーザインターフェース内の異なる位置であってもよい。いくつかの実施形態では、第３の位置は、第２の位置と同じユーザインターフェース内の位置であってもよい。
【００１０】
コントローラの一実施形態では、ユーザインターフェース内の第１の位置に関連する第１のカラースペクトルの色は、ユーザインターフェース内の第１の位置における１つ以上のピクセルに関連し、ユーザインターフェース内の第２の位置に関連する第１のカラースペクトルの色は、ユーザインターフェース内の第２の位置における１つ以上のピクセルに関連する。ユーザインターフェース内のピクセルの色は、例えば、どの色がユーザによって選択されるのかを示す。
【００１１】
コントローラの一実施形態では、プロセッサはさらに、
第１の照明デバイス及び第２の照明デバイスからカラーレンダリング情報を取得し、カラーレンダリング情報は、第１の照明デバイス及び第２の照明デバイスのそれぞれのカラーレンダリング能力に関連する、
カラーレンダリング情報に基づいて、第１の照明デバイス及び第２の照明デバイスが、それぞれ、ユーザインターフェース内の第１の位置及び第２の位置に関連する第１のカラースペクトルの色にマッチする光を生成するように構成されているかどうかを判断する、及び
ディスプレイユニット上に、第１の照明デバイス及び第２の照明デバイスを、それぞれ、第１のグラフィカル表現及び第２のグラフィカル表現に応じてレンダリングする、
ように構成される。照明デバイスからカラーレンダリング情報を取得することにより、照明デバイスの情報が、例えば、照明デバイスを追加する又は交換する場合に容易に更新される。
【００１２】
コントローラの一実施形態では、プロセッサはさらに、ユーザインターフェースを介して第２の照明デバイスを制御するための第３のユーザ入力を受けると、ディスプレイユニット上に、
第２のカラースペクトルのグラフィカル表現であって、第１のカラースペクトルは第２のカラースペクトルと異なる、第２のカラースペクトルのグラフィカル表現、
第１の照明デバイスが、ユーザインターフェース内の第１の位置に関連する第２のカラースペクトルの色にマッチする光を生成するように構成されていない場合、ユーザインターフェース内の第１の位置における第２のカラースペクトル内の第１の照明デバイスについての第２のタイプのグラフィカル表現、及び
第２の照明デバイスが、ユーザインターフェース内の第２の位置に関連する第２のカラースペクトルの色にマッチする光を生成するように構成されていることを示す、ユーザインターフェース内の第２の位置における第２のカラースペクトル内の第２の照明デバイスについての第１のタイプのグラフィカル表現
をレンダリングする、及び
通信ユニットを介して、第３のユーザ入力に応じて第１の照明デバイス及び第２の照明デバイスのうちの１つ以上の光源の色を制御する、
ように構成される。ユーザが現在選択されるカラースペクトルに適さない照明デバイスと手動でインタラクトする場合、コントローラは、該照明デバイスが光を生成する能力を有する別のカラースペクトルに切り替える。
【００１３】
コントローラの一実施形態では、プロセッサはさらに、ユーザインターフェースを介してユーザ入力を受けると、ディスプレイユニット上に、
第３のカラースペクトルのグラフィカル表現であって、第３のカラースペクトルは第１のカラースペクトルと異なる、第３のカラースペクトルのグラフィカル表現、
第１の照明デバイスが、ユーザインターフェース内の第１の位置に関連する第３のカラースペクトルの色にマッチする光を生成するように構成されていないことを示す、ユーザインターフェース内の第１の位置における第３のカラースペクトル内の第１の照明デバイスについての第２のタイプのグラフィカル表現、及び
第２の照明デバイスが、ユーザインターフェース内の第２の位置に関連する第３のカラースペクトルの色にマッチする光を生成するように構成されている場合、ユーザインターフェース内の第２の位置における第３のカラースペクトル内の第２の照明デバイスについての第１のタイプのグラフィカル表現
をレンダリングするように構成される。ユーザが異なるカラースペクトルに切り替える場合、当該カラースペクトルに対応する光を生成するための照明デバイスの能力が、必要に応じて、対応する照明デバイスのグラフィカル表現を変更することによってユーザに示される。一実施形態では、光を生成するための照明デバイスの能力は、当該照明デバイスに使用された最後の設定（例えば、色又は色温度）に基づく。
【００１４】
コントローラの一実施形態では、プロセッサはさらに、ユーザインターフェースを介して第４のユーザ入力を受けると、
ユーザインターフェース内の第１の位置からユーザインターフェース内の第４の位置に第１のカラースペクトル内の第１の照明デバイスの第１のタイプのグラフィカル表現を移動させる、及び／又は、ユーザインターフェース内の第２の位置からユーザインターフェース内の第５の位置に第１のカラースペクトル内の第２の照明デバイスの第２のタイプのグラフィカル表現を移動させる、及び
ディスプレイユニット上で、第４のカラースペクトルに切り替え、第４のカラースペクトルは、第１の照明デバイスが、ユーザインターフェース内の第４の位置に関連する第１のカラースペクトルの色にマッチする光を生成するように構成されていない、及び／又は、第２の照明デバイスが、ユーザインターフェース内の第５の位置に関連する第１のカラースペクトルの色にマッチする光を生成するように構成されていないことを示す、
ように構成される。ユーザが、照明デバイスのグラフィカル表現を、対応する照明デバイスが光を生成するように構成されていないユーザインターフェースにおけるカラースペクトル内の位置に移動させる場合、カラースペクトルは、ユーザに通知するために中立的な様相(neutral appearance)に切り替わる。
【００１５】
カラースペクトルは、ある時点で単一のカラースペクトルのみがレンダリングされるようにユーザインターフェースの同じ領域にレンダリングされる。ある時点で単一のカラースペクトルのみをレンダリングすることにより、比較的容易なユーザインターフェースがユーザに提供される。
【００１６】
コントローラの一実施形態では、プロセッサはさらに、第１の照明デバイス及び第２の照明デバイスの現在の色設定に基づいて、それぞれ、ユーザインターフェース内の第１のタイプのグラフィカル表現についての初期の(initial)第１の位置及び／又はユーザインターフェース内の第２のタイプのグラフィカル表現についての初期の第２の位置を設定するように構成される。ユーザインターフェース内のグラフィカル表現の位置を設定するために照明デバイスの現在の色設定を選択することにより、ユーザは、最後の設定に基づく利用可能な照明デバイスの適切な概観(good overview)を保てる。設定は、光の色又は白色の様相(white appearance)（相関色温度）を参照してもよい。
【００１７】
コントローラの一実施形態では、ディスプレイユニットは、タッチセンシティブディスプレイを有し、ユーザインターフェースは、タッチセンシティブディスプレイを介してユーザ入力を受けるように構成される。タッチセンシティブディスプレイを設けることにより、ユーザフレンドリなインターフェースが提供される。
【００１８】
本発明によれば、第１の照明デバイス及び第２の照明デバイスを制御するための方法であって、当該方法は、
ディスプレイユニット上に、第１のカラースペクトルのグラフィカル表現、ユーザインターフェース内の第１の位置における第１のカラースペクトル内の第１の照明デバイスの第１のタイプのグラフィカル表現、及び、ユーザインターフェース内の第２の位置における第１のカラースペクトル内の第２の照明デバイスの第２のタイプのグラフィカル表現をレンダリングするステップであって、第１のタイプのグラフィカル表現は、第１の照明デバイスが、ユーザインターフェース内の第１の位置に関連する第１のカラースペクトルの色にマッチする光を生成するように構成されていることを示し、第２のタイプのグラフィカル表現は、第２の照明デバイスが、ユーザインターフェース内の第２の位置に関連する第１のカラースペクトルの色にマッチする光を生成するように構成されていないことを示す、ステップと、
ユーザインターフェースを介して第１の照明デバイスを制御するための第１のユーザ入力を受けると、第１のユーザ入力に応じて第１の照明デバイス及び第２の照明デバイスのうちの１つ以上の色を制御するステップと、
を含む、方法が提供される。
【００１９】
一実施形態では、方法はさらに、
第１の照明デバイス及び第２の照明デバイスからカラーレンダリング情報を取得するステップであって、カラーレンダリング情報は、第１の照明デバイス及び第２の照明デバイスのそれぞれのカラーレンダリング能力に関連する、ステップと、
カラーレンダリング情報に基づいて、第１の照明デバイス及び第２の照明デバイスが、それぞれ、ユーザインターフェース内の第１の位置及び第２の位置に関連する第１のカラースペクトルの色にマッチする光を生成するように構成されているかどうかを判断するステップと、
第１の照明デバイス及び第２の照明デバイスを、それぞれ、第１のグラフィカル表現及び第２のグラフィカル表現に応じてレンダリングするステップと、
を含む。
【００２０】
方法の一実施形態では、第１のカラースペクトル及び第２のカラースペクトルが、ユーザインターフェースの同じ領域にレンダリングされる。
【００２１】
本発明によれば、コンピューティングデバイスのためのコンピュータプログラムプロダクトであって、当該コンピュータプログラムがコンピューティングデバイスの処理ユニットで実行された場合、本発明による方法を実行するためのコンピュータプログラムコードを含む、コンピュータプログラムプロダクトが提供される。
【００２２】
本発明によれば、本発明によるコントローラと、コントローラから制御コマンドを受けるように構成される少なくとも第１の照明デバイス及び第２の照明デバイスとを含む、照明システムが提供される。
【図面の簡単な説明】
【００２３】
開示されたシステム、デバイス及び方法の上記の及び追加の目的、特徴及び利点は、添付の図面を参照して、デバイス及び方法の実施形態の以下の例示的且つ非限定的な詳細な説明を通してよりよく理解されるであろう。
【図１】本発明による照明システムの一実施形態を概略的に示す。
【図２】本発明によるコントローラのディスプレイユニットを概略的に示す。
【図３】本発明によるコントローラのディスプレイユニットを概略的に示す。
【図４】本発明によるコントローラのディスプレイユニットを概略的に示す。
【図５】本発明によるコントローラのディスプレイユニットを概略的に示す。
【図６】本発明によるコントローラのディスプレイユニットを概略的に示す。
【図７】本発明によるコントローラのディスプレイユニットを概略的に示す。
【図８】本発明によるコントローラのディスプレイユニットを概略的に示す。
【図９】本発明によるコントローラのディスプレイユニットを概略的に示す。
【図１０】本発明による第１の照明デバイス及び第２の照明デバイスを制御するための方法を概略的に示す。
【発明を実施するための形態】
【００２４】
すべての図は概略的であり、必ずしも縮尺どおりではなく、一般に、本発明を明らかにするために必要な部分のみを示し、他の部分は省略されるか、単に示唆される場合がある。
【００２５】
図１は、照明デバイス１１２、１１４のグループ１１０を制御するためのコントローラ１００を含む照明システム１０００の一実施形態を概略的に示す。照明デバイス１１２、１１４のグループ１１０は、第１の照明デバイス１１２及び第２の照明デバイス１１４を含む。グループ１１００は、追加の照明デバイスを含んでもよい。コントローラ１００は、第１の照明デバイス１１２及び第２の照明デバイス１１４と通信する、及び、第１の照明デバイス１１２の光設定及び第２の照明デバイス１１４の光設定を受けるための通信ユニット１０２を含む。コントローラ１００はさらに、ディスプレイ上に、第１のカラースペクトル及び第２のカラースペクトルのグラフィカル表現をレンダリングするためのプロセッサ１０６及びディスプレイユニット１０８を含む。このグラフィカル表現は、ユーザによって選択され得る様々な色を示すカラーホイール(color wheel)を含んでもよい。コントローラ１００はさらに、第１の照明デバイス１１２及び／又は第２の照明デバイス１１４のための光設定の調整を示すユーザ入力を受けるためのユーザインターフェース１０４を含む。プロセッサ１０６はさらに、通信ユニット１０２を介して、ユーザ入力に応じて第１の照明デバイス１１２及び第２の照明デバイス１１４のうちの１つ以上を制御するように構成される。プロセッサ１００はさらに、ディスプレイユニット１０８上に、第１の照明デバイス１１２及び第２の照明デバイス１１４のグラフィカル表現をレンダリングするように構成される。このグラフィカル表現は、照明デバイス１１２、１１４が、ユーザインターフェース内のそれぞれの位置に関連するカラースペクトルの色にマッチする光を生成するように構成されていることを示す第１のタイプのグラフィカル表現、及び、照明デバイス１１２、１１４が、ユーザインターフェース内のそれぞれの位置に関連するカラースペクトルの色にマッチする光を生成するように構成されていないことを示す第２のタイプのグラフィカル表現を含む。
【００２６】
コントローラ１００は、照明デバイス１１２、１１４と通信するように構成される任意のタイプの制御デバイスであってもよい。コントローラ１００は、スマートフォン又はタブレット等のスマートデバイスであってもよく、又は、コントローラ１００は、スマートウォッチ等のウェアラブルデバイスであってもよい。代替的に、コントローラ１００は、ホームオートメーションシステム又はオフィスオートメーションシステムに含まれてもよい。コントローラ１００の通信ユニット１０２は、照明デバイス１１２、１１４と通信するように構成される。通信ユニット１０２は、照明デバイス１１２、１１４と直接通信するように構成されてもよく、又は、任意の中間デバイス（ハブ、ブリッジ、プロキシサーバ等）を介して通信するように構成されてもよい。通信ユニット１０２は、ユーザ入力に応じて照明デバイスの光出力を制御するために１つ以上のデバイスの１つ以上の受信機に（例えば、照明デバイスの光出力の色、彩度及び／又は明るさを変更するための照明制御命令を含む信号、メッセージ、データパケット等としての）照明制御コマンドを送信するように構成されてもよい。通信ユニット１０２はさらに、（例えば、照明デバイスの光設定の色、彩度及び／又は明るさに関連する光設定値を含む信号／メッセージ／データパケットを受信することによって）第１の照明デバイス１１２の光設定及び第２の照明デバイス１１４の光設定を受けるように構成される。これらの受信される信号／メッセージ／データパケットは、照明デバイス１１２、１１４の（アクティブな）光設定に関連する。通信ユニット１０２は、任意の通信プロトコル（例えば、Ｗｉ−Ｆｉ、ＺｉｇＢｅｅ、Ｂｌｕｅｔｏｏｔｈ、３Ｇ、４Ｇ、ＬＴＥ、ＤＡＬＩ、ＤＭＸ、ＵＳＢ、パワーオーバーイーサネット(power over Ethernet)、電力線通信等）を介して、メッセージ、信号又はデータパケットを送信／受信してもよい。コントローラ１００が、複数の通信チャネル／プロトコルを介して通信するように構成され、それによって、複数のタイプの照明デバイスへのメッセージ、信号又はデータパケットの送信／複数のタイプの照明デバイスからのメッセージ、信号又はデータパケットの受信を可能にすることができる場合、有益であり得る。
【００２７】
照明デバイス１１２、１１４は、照明制御コマンドを受けるように構成される任意のタイプの照明デバイスであってもよい。照明デバイス１１２、１１４は、ＬＥＤ光源、白熱光源、蛍光光源、高輝度放電光源等を含んでもよい。照明デバイス１１２、１１４は、一般照明、タスク照明、アンビエント照明、雰囲気照明(atmosphere lighting)、アクセント照明、屋内照明、屋外照明等を提供するように構成されてもよい。照明デバイス１１２、１１４は、照明器具に設置されてもよく、又は、照明デバイス１１２、１１４は、ＬＥＤストリップ／マトリックス等、スタンドアロンの照明デバイスであってもよい。代替的に、照明デバイスは、ポータブル照明デバイス（例えば、ＬＥＤキューブ、ＬＥＤスフィア(LED sphere)等の手のひらサイズのデバイス）であってもよい。この実施形態では、照明デバイス１１２は、チューナブル白色照明デバイス（すなわち、白色光を発するように構成される照明デバイスであって、白色光の色温度が調整可能である、照明デバイス）であり、照明デバイス１１４は、任意選択的に白色光を生成するように構成されてもよい、マルチカラー照明デバイス（例えば、色が調整可能なマルチＬＥＤ照明デバイス）である。
【００２８】
プロセッサ１０６はさらに、通信ユニット１０２を介して、ユーザ入力に応じて第１の照明デバイス１１２及び第２の照明デバイス１１４のうちの１つ以上を制御するように構成される。プロセッサ１０６は、予め定義され、メモリに記憶されていてもよい光設定又は光シーン(light scene)に応じて照明デバイスを制御してもよく、メモリは、プロセッサ１０６によってアクセス可能であってもよい。そのような光設定又は光シーンは、複数の照明デバイスのための照明制御設定情報を含んでもよい（光設定／光シーンは、例えば、第１の照明デバイス１１２を第１の色に設定し、第２の照明デバイス１１４を第２の色に設定するための命令を含んでもよい）。
【００２９】
コントローラ１００のディスプレイユニット１０８は、ユーザインターフェース１０４としてタッチセンシティブ面を含み、タッチセンシティブ面は、ユーザ入力を受けるように構成されてもよい。代替的に、ユーザインターフェース１０４は、ユーザ入力を提供するためにユーザによって操作され得るマウスデバイス又はスタイラスペン等のポインティングデバイスを含んでもよい。ユーザインターフェース１０４はさらに、第１の一次グラフィカル表現、第２の一次グラフィカル表現、又は、二次グラフィカル表現においてユーザ入力を受けるように構成されてもよい。
【００３０】
プロセッサ１０６（マイクロチップ、回路、マイクロコントローラ等）は、ディスプレイユニット１０８上に、第１のカラースペクトル及び第２のカラースペクトルのグラフィカル表現、並びに、第１の照明デバイス１１２及び第２の照明デバイス１１４のグラフィカル表現をレンダリングするように構成される。ディスプレイユニット１０８の一例が図２に示されている。ディスプレイユニット１０８は、ユーザインターフェース２０２をレンダリングする。ユーザインターフェース２０２は、白色のみならず、複数の色を含む第１のカラースペクトル２０４のグラフィカル表現を含む。所望のカラースペクトルは、カラースペクトル制御オプション２０６、２０８を介して選択されることができる。カラースペクトル制御オプション２０６は、フルカラー及び白色光スペクトルを選択することを可能にし、カラースペクトル制御オプション２０８は、チューナブル白色カラースペクトル(tunable white color spectrum)を選択することを可能にする。ディスプレイユニット１０８はまた、第１の照明デバイス１１２のグラフィカル表現２１０、第２の照明デバイス１１４のグラフィカル表現２１２、及び第３の照明デバイスのグラフィカル表現２１４をレンダリングする。第３の照明デバイスは、所定の色温度の白色光のみを生成することができる。グラフィカル表現２１０、２１２及び２１４は、ユーザインターフェース２０２を介してこれらのグラフィカル表現を第１のカラースペクトル２０４内で移動させることによって、それぞれの照明デバイスによって生成されるべき所望の光の色を選択することにより、照明デバイスを制御することを可能にする。また、これらのグラフィカル表現は、照明デバイスをオン又はオフに切り替えるために使用されてもよい。ユーザインターフェース２０２内のグラフィカル表現２１０、２１２及び２１４の位置は、それぞれ、第１、第２及び第３の照明デバイスの現在の色設定に基づいてもよい。代替的に、グラフィカル表現２１０、２１２及び２１４の位置は、コントローラ１００のスイッチオン時にコントローラ１００によって予め定められてもよい。グラフィカル表現２１０、２１２及び２１４は、ユーザインターフェース２０２上のカラースペクトル２０４内で異なる位置を有してもよく、又は、同一の位置を有してもよい（すなわち、カラースペクトル内ですべてが同じ色を選択する）。グラフィカル表現２１０は、好ましい光の色として青色が選択されるようにカラースペクトル２０４内に位置付けられている。第１の照明デバイス２１２は、チューナブル白色照明デバイスであるため、青色の光の色を生成することはできず、グラフィカル表現２１２と比較して相対的に減少された明るさを有するグラフィカル表現２１０によってユーザに示される。代替的な実施形態では、明るさの減少の程度は、照明デバイスが所望の光の色を生成することができない程度、すなわち、選択されたタイプの光と、照明デバイスが生成することができ、且つ選択されたタイプの光に最も近いタイプの光との間にどれだけの差があるかに応じて変化させてもよい。例えば、緑色及び青色発光ダイオードを有する照明デバイスは、白っぽい(whitish)タイプの光を生成することができるかもしれないが、暖かい白色光を生成するのにはあまり適していない。代替的に、グラフィカル表現２１０は、グラフィカル表現２１２と比較して、そのアイコン上に×印を有することによって示されてもよく、又は、点滅してもよい。さらなる代替的な実施形態では、グラフィカル表現２１０は、照明デバイスが選択されたカラースペクトルに対応する光を生成するのに適しているかどうかを示すために異なる不透明度(opacity)で示されてもよい。さらなる代替的な実施形態では、様々な照明デバイスのためのカラースペクトル内のグラフィカル表現は、照明デバイスのタイプ対(versus)選択されるカラースペクトルのタイプに基づく。例えば、（白色光を含んでもよい）マルチカラースペクトルでは、（チューナブル）白色照明デバイスのグラフィカル表現は常に減少された明るさで示され、マルチカラーデバイスのグラフィカル表現は常に通常の明るさで示され、一方、チューナブル白色スペクトルでは、（白っぽい光を生成することが可能であるかもしれないが）マルチカラー照明デバイスのグラフィカル表現は常に減少された明るさで示され、（チューナブル）白色照明デバイスのグラフィカル表現は常に通常の明るさで示される。図２に戻ると、グラフィカル表現２１２は、第２の照明デバイス１１４が、グラフィカル表現２１２を介して選択されたオレンジ色／赤色を生成するように構成されるマルチカラーデバイスであるため、グラフィカル表現２１０と比較して明るさが増加している。グラフィカル表現２１４は、好ましい光の色としてわずかに黄色／オレンジ色が選択されるようにカラースペクトル２０４内に位置付けられている。第３の照明デバイスは、白色照明デバイスであるため、黄色／オレンジ色の光の色を生成することはできず、グラフィカル表現２１０と同様に、グラフィカル表現２１２と比較して相対的に減少された明るさを有するグラフィカル表現２１４によってユーザに示される。したがって、選択されたカラースペクトル２０４について、利用可能な照明デバイスのうちのどれが、ユーザインターフェース２０２を介して選択される光の色を生成することが可能であるかがユーザに明らかである。この実施形態では、コントローラ１００は、照明デバイス１１２、１１４が所望の色を作り出すように生成されているかどうかを以下のように決定する。コントローラ１００は、照明デバイス１１２、１１４から、それぞれの照明デバイスのカラーレンダリング能力に関連するカラーレンダリング情報を取得する。また、コントローラ１００は、ユーザインターフェース２０２内の照明デバイス１１２、１１４のグラフィカル表現２１０、２１２の位置によって与えられるカラースペクトル２０４内のピクセルの色を各照明デバイスについて決定することによって、照明デバイス１１２、１１４の所望の色設定が何であるかを決定する。照明デバイス１１２、１１４の所望の色設定をそれぞれのカラーレンダリング能力と比較することにより、コントローラ１００は、照明デバイスが所望の色設定を生成するように構成されているかどうかを決定する。
【００３１】
図３は、ユーザが制御オプション２０８を介してチューナブル白色光スペクトルに切り替えた後のディスプレイユニット１０８を示し、このチューナブル白色光スペクトルが、ユーザインターフェース２０２上に示されている。グラフィカル表現２１０、２１２及び２１４は、ユーザインターフェース２０２内で上記と同じ位置に示されている。グラフィカル表現２１２は、第２の照明デバイス１１４が選択された白色光の色を生成することができないため、ここでは、減少された明るさで示されている。グラフィカル表現２１０及び２１４は、第１の照明デバイス１１２及び第３の照明デバイスがそれぞれ選択された白色光の色を生成することができるので、増加した明るさで示されている。
【００３２】
図４は、図２に示されるディスプレイユニットから開始したユーザが、グラフィカル表現２１０を図２に示されるユーザインターフェース２０２内の位置から図４に示される位置に移動させたディスプレイユニット１０８を示している。第１の照明デバイス１１２は、図４のカラースペクトル２０４内の位置に関連する光の色を生成するように構成されているので、グラフィカル表現２１０は、ここでは、第１の照明デバイス１１２が所望の光を生成するために使用されてもよいことをユーザに示すためにグラフィカル表現２１２と同じ明るさを有している。代替的な実施形態では、照明デバイス２１２は、複数の能力を有してもよく、例えば、白色光だけでなく、異なるタイプの色付き光の両方を生成することができてもよい。このようにグラフィカル表現２１０とインタラクトすることによる場合、照明デバイス１１２について最後に使用された設定に基づいて選択されたタイプの光を生成することができなかったかもしれないが、このようにする技術的能力を有しているので、ユーザインターフェース２０２内の同じ位置において第１のタイプのグラフィカル表現に変更されてもよい。
【００３３】
図５は、ユーザインターフェース２０２が、チューナブル白色カラースペクトルに設定される第１のカラースペクトル２０４のグラフィカル表現を含む、ディスプレイユニット１０８を示している。ディスプレイユニット１０８はまた、第１の照明デバイス１１２のグラフィカル表現２１０、第２の照明デバイス１１４のグラフィカル表現２１２、及び第３の照明デバイスのグラフィカル表現２１４をレンダリングする。第３の照明デバイスは、所定の色温度の白色光のみを生成することができる。グラフィカル表現２１０、２１２及び２１４は、ユーザインターフェース２０２を介してこれらのグラフィカル表現を第１のカラースペクトル２０４内で移動させることによって、それぞれの照明デバイスによって生成されるべき所望の光の色を選択することにより、照明デバイスを制御することを可能にする。グラフィカル表現２１０は、好ましい光の色として暖かい白色が選択されるようにカラースペクトル２０４内に位置付けられている。第１の照明デバイス１１２は、チューナブル白色照明デバイスであるため、暖かい白色の光を生成することができ、通常の明るさを有するグラフィカル表現２１０によってユーザに示される。グラフィカル表現２１２は、第２の照明デバイス１１４が（チューナブル）白色光を生成するように構成されていないマルチカラーデバイスであるため、グラフィカル表現２１０と比較して明るさが減少している。グラフィカル表現２１４は、白色光が選択されるようにカラースペクトル２０４内に位置付けられている。第３の照明デバイスは、白色照明デバイスであるため、白色光を生成することができ、グラフィカル表現２１０と同様に、通常の明るさを有するグラフィカル表現２１４によってユーザに示される。したがって、選択されたカラースペクトル２０４について、利用可能な照明デバイスのうちのどれが、ユーザインターフェース２０２を介して選択される光の色を生成することが可能であるかがユーザに明らかである。ユーザが第２の照明デバイス１１４のためのグラフィカル表現２１２とインタラクトする場合、カラースペクトル２０４は、照明デバイス１１４によってサポートされるカラースペクトル２０４に切り替わる、すなわち、カラースペクトル２０４は、図６に示されるようにマルチカラースペクトル２０４を切り替わる。グラフィカル表現２１０、２１２及び２１４は、ユーザインターフェース２０２内で図５に示されるものと同じ位置を有するが、ここでは、異なる色が、カラースペクトル２０４内で選択される。ここでは、第２の照明デバイス１１４のためのグラフィカル表現２１２は、通常の明るさで示されており、一方、第１の照明デバイス１１２のためのグラフィカル表現２１０及び第３の照明デバイスのためのグラフィカル表現２１４は、これらの照明デバイスが、カラースペクトル２０４内のグラフィカル表現２１０及び２１４のそれぞれの位置によってユーザインターフェース２０２上で現在選択されるような光の色を生成するように構成されていないので、ユーザインターフェース２０２上で減少された明るさで示される。ユーザは、カラースペクトル２０４に沿ってグラフィカル表現２１２を移動させることによりカラースペクトル２０４内の他の色を選択してもよく、例えば、図７に示されるように赤色を選択してもよい。
【００３４】
図８は、ユーザインターフェース２０２が、マルチカラースペクトルに設定される第１のカラースペクトル２０４のグラフィカル表現を含む、ディスプレイユニット１０８を示している。ディスプレイユニット１０８はまた、第１の照明デバイス１１２のグラフィカル表現２１０、第２の照明デバイス１１４のグラフィカル表現２１２、及び第３の照明デバイスのグラフィカル表現２１４をレンダリングする。第３の照明デバイスは、マルチカラー光を生成することができる。グラフィカル表現２１０、２１２及び２１４は、ユーザインターフェース２０２を介してこれらのグラフィカル表現を第１のカラースペクトル２０４内で移動させることによって、それぞれの照明デバイスによって生成されるべき所望の光の色を選択することにより、照明デバイスを制御することを可能にする。グラフィカル表現２１０は、チューナブル白色照明デバイスである第１の照明デバイス１１２に関連する。マルチカラースペクトル２０４がユーザによって選択されるため、グラフィカル表現２１０は、明るさが減少された状態で示される。グラフィカル表現２１２は、第２の照明デバイス２１４がマルチカラーデバイスであるため、通常の明るさを有する。グラフィカル表現２１４は、第３の照明デバイスがマルチカラー照明デバイスであるため、通常の明るさで示される。ユーザが第１の照明デバイス１１２のためのグラフィカル表現２１０をカラースペクトル２０４上で移動させることによってグラフィカル表現２１０とインタラクトする場合、カラースペクトル２０４は、照明デバイス１１２が所望の光の色を生成するのに適していないことをユーザに示すために、単一のトーン（すなわち、ニュートラルな様相(neutral appearance)）を有するスペクトル２０４に切り替わる（図９参照）。代替的な実施形態では、他のタイプのカラースペクトルが、ユーザに知らせるために使用されてもよい。グラフィカル表現２１０は、その後、元の位置に戻り、カラースペクトル２０４は、図８に示されるように、マルチカラースペクトルに戻る。
【００３５】
一実施形態では、プロセッサ１０６は、特定の空間、例えば、家のリビングルームでどの照明デバイスが利用可能であるかを検出し、利用可能な照明デバイスに基づいてどのカラースペクトルが選択され得るかをユーザインターフェース２０２上に示す。その後、ユーザは、カラースペクトル２０６、２０８のうちの１つを選択してもよい。各カラースペクトルについて、当該空間で利用可能なすべての照明デバイスがユーザインターフェース２０２上に示され、これら照明デバイスのそれぞれのグラフィカル表現は、それぞれの照明デバイスの能力及び最後の設定に基づいて、それぞれの照明デバイスが、選択されたカラースペクトルのための光を生成するのに適し得るかどうかを示す。
【００３６】
一実施形態では、照明デバイスが複数のカラースペクトルのための光を生成するのに適している場合、当該照明デバイスのグラフィカル表現は、当該照明デバイスに使用された最後の設定（例えば、特定の色又は白色の様相）に基づく。例えば、照明デバイスがチューナブル白色光及び色付き光の両方を生成するように構成されている場合、チューナブル白色光スペクトル及びフルカラー光スペクトルの両方に使用するのに適している。当該照明デバイスのその最後の設定がチューナブル白色光スペクトルでの使用のためのものであった場合、フルカラー光スペクトルを選択すると、当該光源は、当該光源が選択されたフルカラー光スペクトルには適していないことを示すグラフィカル表現を用いてユーザインターフェース上に示される。ユーザがユーザインターフェース２０２上で当該照明デバイスとインタラクトする場合、そのグラフィカル表現は、当該照明デバイスがフルカラー光スペクトルでの使用に適していることを示す別の表現に切り替わる。
【００３７】
一実施形態では、照明デバイスがカラースペクトル２０４内のグラフィカル表現の位置に対応する光の色を生成するように構成されていない場合、ユーザインターフェース２０２のカラースペクトル２０４内の該照明デバイスのグラフィカル表現の外観(look)が変化してもよい。例えば、フルカラー（例えば、赤、青、緑、及びそれらの混合）及びチューナブル白色の両方を含むカラースペクトル２０４の場合、チューナブル白色照明デバイスは、カラースペクトル２０４のチューナブル白色空間内でユーザによって選択されるタイプの光の色を生成することができる。照明デバイスのグラフィカル表現がカラースペクトル２０４のチューナブル白色色空間内にある限り、該照明デバイスがこのタイプの光を生成するように構成されていることをユーザに示す。ユーザが、照明デバイスのグラフィカル表現を、フルカラーを表すカラースペクトル２０４の他の部分に移動させると、該照明デバイスのグラフィカル表現は、該照明デバイスがこれらのフルカラーを生成することができないことをユーザに示すために変化する。
【００３８】
一実施形態では、カラースペクトル２０４がユーザによって選択され、選択されたカラースペクトル２０４にマッチする光を生成するように特定の照明デバイスが構成されていない場合、当該照明デバイスのグラフィカル表現は、選択された不透明度又は他の選択された特性を有することによってユーザにこのことを示す。ユーザが照明デバイスのこのグラフィカル表現とユーザインターフェース２０２上でインタラクトする場合、カラースペクトル２０４は、該照明デバイスによって生成され得る色とマッチするカラースペクトル２０４に切り替わる。照明デバイスのグラフィカル表現は、この照明デバイスが光を生成するために選択され得ることをユーザに示す、別の不透明度に切り替わる。照明デバイスのグラフィカル表現は、該照明デバイスによって生成されるべき光の色を選択するためにカラースペクトル２０４に沿って移動されてもよい。
【００３９】
一実施形態では、ユーザインターフェース２０２のカラースペクトル２０４に沿って照明デバイスのグラフィカル表現を移動させると、照明デバイスがグラフィカル表現によって表されるカラースペクトル２０４内の光の色を生成するように構成されていない場合、カラースペクトル２０４は、選択された色が該照明デバイスによって生成されることができないことをユーザに示す、ニュートラルな様相に変化する。ニュートラルな様相は、単色であってもよく、例えば、灰色がかった色(grayish)であってもよい。
【００４０】
図１０は、第１の照明デバイス１１２及び第２の照明デバイス１１４を制御するための方法５００を示す。ステップ５０２において、方法は、ディスプレイユニット上に、第１のカラースペクトル２０４のグラフィカル表現、ユーザインターフェース２０２内の第１の位置における第１のカラースペクトル２０４内の第１の照明デバイス１１２の第１のタイプのグラフィカル表現２１０、及び、ユーザインターフェース内の第２の位置における第１のカラースペクトル２０４内の第２の照明デバイス１１４の第２のタイプのグラフィカル表現２１２をレンダリングし、第１のタイプのグラフィカル表現２１０は、第１の照明デバイス１１２が、ユーザインターフェース２０２内の第１の位置に関連する第１のカラースペクトル２０４の色にマッチする光を生成するように構成されていることを示し、第２のタイプのグラフィカル表現２１２は、第２の照明デバイス１１４が、ユーザインターフェース２０２内の第２の位置に関連するカラースペクトル２０４の色にマッチする光を生成するように構成されていないことを示す。ステップ５０４において、方法は、ユーザインターフェースを介して第１の照明デバイスを制御するための第１のユーザ入力を受けると、第１のユーザ入力に応じて第１の光源及び第２の光源のうちの１つ以上の色を制御する。この実施形態では、（図１０に示されていない）さらなるステップにおいて、方法は、第１の照明デバイス及び第２の照明デバイスからカラーレンダリング情報を取得し、カラーレンダリング情報は、第１の照明デバイス及び第２の照明デバイスのそれぞれのカラーレンダリング能力に関連する。方法はさらに、カラーレンダリング情報に基づいて、第１の照明デバイス及び第２の照明デバイスが、それぞれ、ユーザインターフェース内の第１の位置及び第２の位置に関連する第１のカラースペクトルの色にマッチする光を生成するように構成されているかどうかを判断する。方法はさらに、それぞれ、第１のグラフィカル表現及び第２のグラフィカル表現に応じて第１の照明デバイス及び第２の照明デバイスをレンダリングする。
【００４１】
上述した実施形態は本発明を限定するものではなく、例示するものであり、当業者は添付の特許請求の範囲から逸脱することなく多くの代替的な実施形態を設計できることに留意されたい。
【００４２】
請求項では、括弧内のいかなる参照符号も、その請求項を限定するものとして解釈されるべきではない。動詞「含む（comprise）」及びその活用形の使用は、請求項に記述されたもの以外の要素又はステップが存在することを排除するものではない。要素に先行する冠詞「１つの（ａ）」又は「１つの（ａｎ）」は、複数のそのような要素が存在することを排除するものではない。本発明は、いくつかの個別要素を含むハードウェアによって、及び、好適にプログラムされたコンピュータ又は処理ユニットによって実装されてもよい。いくつかの手段を列挙するデバイスの請求項では、これらの手段のうちのいくつかは、同一のハードウェアのアイテムによって具現化されてもよい。特定の手段が、互いに異なる従属請求項内に列挙されているという単なる事実は、これらの手段の組み合わせが、有利に使用され得ないことを示すものではない。
【００４３】
本発明の態様は、コンピュータにより実行され得るコンピュータ可読記憶デバイスに記憶されたコンピュータプログラム命令の集合体であってもよいコンピュータプログラムプロダクトにおいて、実施されてもよい。本発明の命令は、スクリプト、解釈可能プログラム、ダイナミックリンクライブラリ（ＤＬＬ）又はＪａｖａクラスを含むが、これらに限定されない任意の解釈可能又は実行可能コードメカニズムであってもよい。命令は、完全な実行可能プログラム、部分実行可能プログラム、既存のプログラムに対する修正（例えば更新）、又は既存のプログラムに対する拡張（例えば、プラグイン）として提供され得る。さらに、本発明の処理の一部は、複数のコンピュータ若しくはプロセッサ、又は「クラウド」にわたって分散されてもよい。
【００４４】
コンピュータプログラム命令を格納するのに適した記憶媒体には、ＥＰＲＯＭ、ＥＥＰＲＯＭ及びフラッシュメモリデバイス、内部及び外部ハードディスクドライブ等の磁気ディスク、リムーバブルディスク並びにＣＤ−ＲＯＭディスクを含むが、これらに限定されないすべての形態の不揮発性メモリが含まれる。コンピュータプログラムは、斯様な記憶媒体上で頒布されてもよく、又はＨＴＴＰ、ＦＴＰ、電子メール、又はインターネット等のネットワークに接続されるサーバを介してダウンロード用に提供されてもよい。
【図１】
2021517327.tif 000003
【図２】
2021517327.tif 000004
【図３】
2021517327.tif 000005
【図４】
2021517327.tif 000006
【図５】
2021517327.tif 000007
【図６】
2021517327.tif 000008
【図７】
2021517327.tif 000009
【図８】
2021517327.tif 000010
【図９】
2021517327.tif 000011
【図１０】
2021517327.tif 000012
【国際調査報告】
2021517327.tif 000013
2021517327.tif 000014
2021517327.tif 000015